(57)【要約】【課題】大当たり等による大量の払い出しがあってもファール球を貯球タンク内へ確実に回収することができるパチンコ機。【解決手段】貯球タンクのタンク本体６２の底面６２Ｂにガイドリブ１１４を設けて、タンク内に、遊技球を貯球する遊技球貯球部１１８と区画されたファール球収容部１１６を形成する。大当たり等により、遊技球貯球部１１８の貯球量が賞球払出装置の払出口１２０から払い出された賞球でほぼ一杯となっても、開口５８からタンク内に取り入れられたファール球４６Ｃはファール球収容部１１６に収容することができる。【選択図】　　　　図６
2004065834.tif 000002
【特許請求の範囲】
【請求項１】
パチンコ機本体内に設けられ遊技球を貯球する貯球タンクと、
前記貯球タンクに設けられ発射された遊技球のうち遊技部に到達せずに発射側に戻ってきた戻り球を貯球タンク内へ取り入れる取入部と、
前記貯球タンク内へ取り入れられた前記戻り球を収容する収容部を前記遊技球を貯球する貯球部と区画して設ける戻り球収容部形成部材と、
を有することを特徴とするパチンコ機。
【請求項２】
前記戻り球収容部形成部材は、前記貯球部へ払い出される前記遊技球の払出部と前記取入部との間に配置され、払い出された遊技球の前記収容部内への進入を阻止する隔壁とされていることを特徴とする請求項１記載のパチンコ機。
【請求項３】
前記貯球タンクには外部と連通して前記遊技球及び前記戻り球を排出する排出部が設けられ、前記隔壁は前記払出部へ払い出された遊技球を前記排出部側へ案内する第１案内面及び前記取入部から取り入れられた戻り球を前記排出部側へ案内する第２案内面を有することを特徴とする請求項２記載のパチンコ機。
【請求項４】
前記収容部は、前記貯球タンク内を視認可能とする窓部を通して視認できない範囲に設けられていることを特徴とする請求項１〜請求項３の何れか１項記載のパチンコ機。
【発明の詳細な説明】
【０００１】
【発明の属する技術分野】
本発明は、パチンコ機に係り、詳しくは、遊技球を貯球するとともにファール球も取り入れられる構造の貯球タンクを備えたパチンコ機に関する。
【０００２】
【従来の技術】
遊技盤の左下に打球発射装置を配置し打球を上方へ打ち出す、通称「左打ち」と呼ばれるタイプのパチンコ機では、特開平１１−９７９５号公報のように、打球供給皿（前皿部）の後側に形成される空きスペースに打球供給皿と連通する貯球タンク（後皿部）を設けているものがある。
【０００３】
また、本出願人による特願２００１−３２１７４６号では、発射された遊技球のうち遊技部に到達せず打球発射装置側に戻ってきたいわゆるファール球を打球供給皿に戻すため、ファール球回収部により回収したファール球を上記の貯球タンク内へ取り入れることが提案されている。
【０００４】
【発明が解決しようとする課題】
しかしながら、上述したファール球を貯球タンク内へ取り入れる従来例では、大当たり等により打球供給皿と貯球タンクが満杯になると、ファール球がタンク内に取り入れなれなくなりファール球回収部から溢れてしまう場合がある。
【０００５】
本発明は上記事実を考慮して、大当たり等による大量の払い出しがあってもファール球を貯球タンク内へ確実に回収することができるパチンコ機を提供することを課題とする。
【０００６】
【課題を解決するための手段】
上記目的を達成するために請求項１に記載の発明は、パチンコ機本体内に設けられ遊技球を貯球する貯球タンクと、前記貯球タンクに設けられ発射された遊技球のうち遊技部に到達せずに発射側に戻ってきた戻り球を貯球タンク内へ取り入れる取入部と、前記貯球タンク内へ取り入れられた前記戻り球を収容する収容部を前記遊技球を貯球する貯球部と区画して設ける戻り球収容部形成部材と、を有することを特徴としている。
【０００７】
請求項１に記載の発明では、パチンコ機本体内に設けられた貯球タンクに、パチンコ機本体内の球払出装置等から払い出される賞球や貸球等の遊技球が貯球される。この貯球された遊技球は、例えば、貯球タンクと連通する打球供給皿へ排出され、打球供給皿から打球発射装置に供給されて遊技盤の遊技部へ発射される。また、発射された遊技球の中で遊技部に到達せずに発射側に戻ってきた戻り球は、取入部から貯球タンク内に取り入れられて打球供給皿等へ戻される。
【０００８】
ここで、戻り球が貯球タンク内に取り入れられると、その戻り球は貯球タンク内に設けられた収容部に収容される。収容部は、戻り球収容部形成部材によって遊技球を貯球する貯球部と区画されており、これによって、戻り球は遊技球とは別に貯球タンク内に貯球（収容）される。なお、ここでの区画とは、一部に仕切りがなく貯球部と収容部との境界に連接部が存在する状態を含む。
【０００９】
これにより、大当たり等による大量の払い出しがあっても、戻り球を貯球タンク内へ回収することができる。
【００１０】
請求項２に記載の発明は、請求項１記載のパチンコ機において、前記戻り球収容部形成部材は、前記貯球部へ払い出される前記遊技球の払出部と前記取入部との間に配置され、払い出された遊技球の前記収容部内への進入を阻止する隔壁とされていることを特徴としている。
【００１１】
請求項２に記載の発明では、貯球部へ払い出される遊技球の払出部と戻り球を取入れる取入部との間に配置した隔壁により、収容部が貯球部と区画される。払出部へ払い出された遊技球は、この隔壁に阻まれて収容部内への進入が阻止される。これにより、収容部の全域を戻り球の収容スペースとして用いることができる。また、戻り球収容部形成部材を隔壁とすることで、構成が簡単になる。
【００１２】
請求項３に記載の発明は、請求項２記載のパチンコ機において、前記貯球タンクには外部と連通して前記遊技球及び前記戻り球を排出する排出部が設けられ、前記隔壁は前記払出部へ払い出された遊技球を前記排出部側へ案内する第１案内面及び前記取入部から取り入れられた戻り球を前記排出部側へ案内する第２案内面を有することを特徴としている。
【００１３】
請求項３に記載の発明では、払出部へ払い出された遊技球は、隔壁に設けられた第１案内面により排出部側へ案内され、取入部から取り入れられた戻り球は、隔壁に設けられた第２案内面により排出部側へ案内される。これにより、同じ排出部側へ案内される各球がスムーズに合流して排出部から排出される。
【００１４】
請求項４に記載の発明は、請求項１〜請求項３の何れか１項記載のパチンコ機において、前記収容部は、前記貯球タンク内を視認可能とする窓部を通して視認できない範囲に設けられていることを特徴としている。
【００１５】
請求項４に記載の発明では、例えば、貯球タンクに透明部を設けその透明部に対応する窓部をパチンコ機本体に設けることで、外部から貯球タンク内が視認できるようになる。戻り球を収容する収容部は、この窓部を通して視認できない範囲に設けられるため、窓部からは、貯球部に存在する遊技球の貯球量が確認できるようになる。
【００１６】
【発明の実施の形態】
以下、図面を参照して本発明の実施の形態について説明する。
【００１７】
［第１の実施形態］
図１には、第１の実施形態に係るパチンコ機がパチンコホールの所謂「島」に設置された状態が示されており、図２及び図３には、パチンコ機本体の概略構成が示されている。
【００１８】
図１に示すように、パチンコホールの島では、パチンコ機１０の左側にそのパチンコ機１０に対応する球貸サンド１２（球貸し機）が配置されており、それらパチンコ機１０と球貸サンド１２とは交互に配列されて設置されている。
【００１９】
パチンコ機１０は、内部に遊技盤１４を収容できるパチンコ機本体１６を備えている。
【００２０】
遊技者側となるパチンコ機本体１６の前面部分には、遊技盤１４の盤面をガラス板２０で覆う上側パネル部材（ガラス枠）２２と、遊技盤１４の下方部分を覆う下側パネル部材（一体皿）２４とが設けられている。この上側パネル部材２２及び下側パネル部材２４は、パチンコ機本体１６の左端部に設けられたヒンジ２６（下側パネル部材２４のヒンジは図示省略）に軸支されて、開閉可能に取り付けられている。
【００２１】
下側パネル部材２４の前面略中央には、遊技者側に向けて突出された球皿（打球供給皿）２８が設けられている。球皿２８の底面２８Ａは、手前側から奥側に向けて反時計回りの螺旋状に下降傾斜しており、下降側先端部（左奥側）には誘導通路２９が設けられている。また、球皿２８の奥壁２８Ｂ略中央には、透明樹脂製のカバーにより塞がれて内部を透視することができる横長略矩形状の窓部３０が設けられており、奥壁２８Ｂの右側端部近傍には、パチンコ機本体１６内の賞球払出装置（図示省略）から払い出された遊技球（以下、適宜「賞球」という）が排出される排出口３１が形成されている。
【００２２】
これにより、球皿２８に、球貸サンド１２から貸し出された貸球と排出口３０から排出された賞球とは、底面２８Ａの下流側に転動して誘導通路２９に案内され、誘導通路２９により一列に整列されて、図２に示す遊技盤１４の左下に配置された発射装置３２へと供給される。
【００２３】
球皿２８の内部には、遊技の終了時に遊技球を球皿２８から球箱３４へ移すための球抜き通路３５、３６が形成されている。通常、この球抜き通路３５、３６は、球皿２８の底面２８Ａと連通する通路入り口（開口部）が蓋部材３７（球抜き通路３５側の蓋部材は図示省略）によって塞がれており、遊技者が球皿２８前面の球抜きレバー３８及び球抜きボタン３９を操作することにより、各蓋部材がそれぞれスライドして各通路の入り口が開口される。これにより、球皿２８内の遊技球が球抜き通路３５、３６を通って排出され球箱３４へと移される。
【００２４】
また、下側パネル部材２４の前面には、球皿２８の右側に、遊技球の発射力（飛距離）を調整する発射ハンドル４０が配置され、球皿２８の左側に、灰皿４１が設けられている。
【００２５】
次に、パチンコ機本体１６の要部の構成について説明する。
【００２６】
図２に示すように、遊技盤１４はパチンコ機本体１６内の上部（上側パネル部材２２の裏側）にセットされるようになっている。パチンコ機本体１６内の下部（下側パネル部材２４の裏側）には、前述したように、遊技盤１４の左下に発射装置３２が配置されており、また遊技盤１４にほぼ真下に位置して貯球タンク４２が着脱可能に取り付けられている。
【００２７】
発射装置３２は、装置下部側に回動式の発射杵４４が設けられ、装置上部には、発射杵４４により上方へ打ち出された遊技球４６を遊技盤１４側へガイドする発射通路４８が形成されている。
【００２８】
図３に示すように、発射通路４８の上端に位置する通路出口５０の左右側端部には、上面及び奥壁面が矩形状に開口された略箱状の球受け部５２、５４が設けられている。通路出口５０の後側には、遊技盤１４が載せられる載置台部５５が位置しており、その載置台部５５の下側に回収通路５６が設けられている。球受け部５２、５４は、奥壁面側の開口を通してこの回収通路５６にそれぞれ連通されている。
【００２９】
回収通路５６は、左右方向に沿って延設されるとともに、通路底面が右側に配置された貯球タンク４２側に緩やかに傾斜している。さらに、下流側端部に位置する通路出口は、貯球タンク４２の左側面に形成された開口５８に接続されている。
【００３０】
また、図２に示すように、貯球タンク４２の前面右側端部には、下側パネル部材２４（球皿２８の奥壁２８Ｂ）の排出口３１と対応する位置に開口６０が形成され、この開口６０からタンク内の遊技球が排出されるようになっている。
【００３１】
これにより、発射装置３２により発射されて、遊技盤１４の遊技部（遊技領域）に到達せずに戻ってきた遊技球（以下、適宜「ファール球」という）は、発射通路４８の左側の球受け部５２に入るか（図３の矢印Ａ）、又は発射通路４８の右側の球受け部５４に入り（図３の矢印Ｂ）、回収通路５６を通って（図３の矢印Ｃ）貯球タンク４２に送られる。貯球タンク４２内に回収されたファール球は、後述するタンク内部を通って開口６０から排出され、排出口３１を抜けて球皿２８に戻される。
【００３２】
以下、その貯球タンク４２について詳細に説明する。
【００３３】
図４及び図５には、第１の実施形態に係る貯球タンク４２が示されており、図６には、その貯球タンク４２が備えるタンク本体が示されている。
【００３４】
図４、図５に示すように、貯球タンク４２は左右方向を長手方向とした薄型の略直方体形状とされ、タンク下部側を構成する箱状のタンク本体６２と、タンク本体６２の開口された上面を塞ぐタンク蓋６４及びタンク本体６２の開口された前面を塞ぐタンクカバー６６とにより構成されている。
【００３５】
タンク蓋６４は、ＰＣ等の樹脂材料による成形品とされて全体が略矩形板状とされている。天井面（下面）６４Ａ後側の左右側端部近傍には、同軸的に配置された一対のヒンジ部６８が一体的に設けられている。タンク本体６２には、このヒンジ部６８と同軸的に一対のヒンジ部７０が後壁部７２上縁の左右側端部に一体的に設けられており、タンク蓋６４は、これら一対のヒンジ部６８、７０を介してタンク本体６２の後壁部７２上縁に取り付けられ、ヒンジ部６８、７０の軸心Ｌを中心に図５の矢印Ｄ方向に回動可能とされている。
【００３６】
タンク蓋６４の上面６４Ｂ中央部には、矩形状の凹陥部７４が設けられている。凹陥部７４の底面７４Ａは、タンク蓋６４が閉じた状態で右斜め前方（開口６０側）へ所定角度傾斜しており、底面７４Ａの左側端部には、Ｌ字形の開口７６が形成されている。図６（Ａ）に示すように、開口７６は、貯球タンク４２がパチンコ機本体１６に取り付けられた際に、開口７６の上方に位置する賞球払出装置の払出口１２０に対応して配置されるとともに、払出口１２０よりも十分大きくされている。また、タンク蓋６４の前面６４Ｃ下端部には、前方へ突出されたリブ７８が下端縁に沿って延設されており、このリブ７８の上面にタンクカバー６６が固着されている。
【００３７】
タンクカバー６６は、ＰＣ等の透明樹脂製で断面Ｌ字状に形成されており、リブ７８に固着された取付部８０の後端部がタンク蓋６４の前面６４Ｃに当接されて、前後方向の取付位置が決められている。取付部８０の先端部から下方に直角に屈曲されたカバー部８２には、タンク蓋６４に形成された開口７６の前方に位置して、フック部８４が設けられている。
【００３８】
フック部８４は、上下方向と平行な向きに所定の間隔で形成された一対のスリットによってカバー部８２の上端部側に接続されており、その接続部となる基端部８６側が弾性変形可能とされている。また、フック部８４の先端部には、カバー部８２の裏面側に突出されたツメ部８８が形成されている。
【００３９】
タンク本体６２は、ＡＢＳ等の樹脂材料による成形品とされている。下面６２Ａには、貯球タンク４２をパチンコ機本体１６に取り付ける際の固定部となる取付片９０が一体的に設けられている。取付片９０は、所定厚さの略矩形板状とされ、貯球タンク４２の開口６０の左側に位置して左右方向と平行な向きに配置されている。また図６（Ｂ）に示すように、取付片９０の左側端からは、下面６２Ａに一体的に設けられた所定高さの補強リブ９２がタンク本体６２の左側端部まで延出されている。
【００４０】
取付片９０の略中央部には、左右方向を長手方向として前後方向に貫通する略樽形状の長穴９４が形成されており、左下隅には、円形の位置決め孔９６が形成されている。これにより、貯球タンク４２をパチンコ機本体１６に取り付けるには、図２に示すように、貯球タンク４２をパチンコ機本体１６内のタンク取付部にセットすると、パチンコ機本体１６に設けられた位置決めピン９８に取付片９０の位置決め孔９６が嵌め入れられて位置決めされるとともに、長穴９４には、横向きの姿勢とされたパチンコ機本体１６側の回転レバー１００が挿通される。この回転レバー１００を図中の矢印Ｅ方向に９０度回転させて縦向きの姿勢にすると、長穴９４の縁部に回転レバー１００が係止して、貯球タンク４２はパチンコ機本体１６に固定される。
【００４１】
また、タンク本体６２の前壁部１０２は、前述したファール球取入部としての開口５８か形成された左壁部１０４よりも所定寸法低くされている。前壁部１０２の前面下端部には、前方へ突出されたリブ１０６が下端縁に沿って延設されており、リブ１０６には、タンクカバー６６のフック部８４と対応する位置に、切り欠き１０８が形成されている。これにより、図４に示すように、タンク蓋６４を閉じると、タンクカバー６６のカバー部８２下端縁がタンク本体６２のリブ１０６に乗り上げて閉方向の位置決めがなされ、フック部８４は切り欠き１０８に嵌合してツメ部８８を切り欠き１０８の下縁に係止させる。したがって、タンク蓋６４はタンク本体６２の上面部分を塞ぎ、タンクカバー６６はタンク本体６２の前面部分を塞いで、各々その位置に固定される。また、タンク蓋６４を開けるときは、フック部８４を弾性変形させてツメ部８８の係止状態を解除することにより、簡単に開けることができる。
【００４２】
また、タンクカバー６６は透明樹脂製であるため、タンク蓋６４及びタンクカバー６６を閉じた状態でも、貯球タンク４２の正面からタンクカバー６６を通してタンク内部が視認できるようになる。貯球タンク４２をパチンコ機本体１６に取り付けた状態では、図６（Ｂ）に示すように、貯球タンク４２の前面ほぼ中央に、下側パネル部材２４の窓部３０が配置される。そのため、パチンコ機１０の正面に座って遊技する遊技者には、窓部３０を通して、貯球タンク４２の内部が視認できるようになる。また、その視認可能な左右方向の範囲は、パチンコ機１０の正面に位置する遊技者からは、窓部３０の左右方向幅寸法Ｗとほぼ等しくなる。
【００４３】
次に、タンク本体６２の内部について説明する。
【００４４】
タンク本体６２の底面６２Ｂは、それぞれ異なる方向に傾斜された３つの傾斜面部により構成されている。
【００４５】
図６（Ａ）に示すように、底面６２Ｂの右側領域には、開口６０の後側を占める略矩形状の傾斜面部１１０Ａが設けられている（傾斜面部１１０Ａの左右方向幅寸法は開口６０の開口幅寸法とほぼ同じ）。その傾斜面部１１０Ａ以外の左側の略矩形状領域には、左後角部と右前角部とを結ぶ対角線により区切られた２つの略直角三角形のうちの右後側を占める、傾斜面部１１０Ａと隣接した傾斜面部１１０Ｂと、左前側を占める傾斜面部１１０Ｃとが設けられている。
【００４６】
各傾斜面部の傾斜方向については、上流側となる一方の傾斜面部１１０Ｃが右方向（図中の矢印ＳＣ方向）へ傾斜しており、他方の傾斜面部１１０Ｂは右斜め前方向（図中の矢印ＳＢ方向）へ傾斜している。また、下流側となる傾斜面部１１０Ａは前方向（図中の矢印ＳＡ方向）へ傾斜している。したがって、何れの傾斜面部も開口６０側へ傾斜している。
【００４７】
また、傾斜面部１１０Ｂには、後端部右側に張出部１１２が設けられている。張出部１１２は、平面視が略台形状とされてタンク本体６２の後壁部７２よりも少し低くされている。
【００４８】
傾斜面部１１０Ｃには、後壁部７２と同じ高さ寸法とされた隔壁としてのガイドリブ１１４が立設されている。ガイドリブ１１４は、左端部１１４Ａが貯球タンク４２の左壁部１０４内面における開口５８の後縁に接続されており、その左端部１１４Ａから右斜め前側に延出されて、タンク蓋６４の開口７６の左前角部近傍で右方向に屈曲され、開口７６前縁の内側をその前縁に沿って右側に延出されて右端部１１４Ｂに至る形状とされている。また右端部１１４Ｂは、図１に示した下側パネル部材２４の窓部３０の左側端縁に対して、左側に寸法Ｘだけずれて配置されている。
【００４９】
このガイドリブ１１４によって、傾斜面部１１０Ｃの左前側領域にはファール球収容部１１６が形成され、ファール球収容部１１６は、ガイドリブ１１４及び境界線ＢＬにより、傾斜面部１１０Ｃのファール球収容部１１６以外の領域、及び、傾斜面部１１０Ａ、１１０Ｂにより形成される遊技球貯球部１１８と区画される。境界線ＢＬについては、ガイドリブ１１４の右端部１１４Ｂを通る、傾斜面部１１０Ｃの傾斜方向に対して垂直な向きの仮想線である。ファール球収容部１１６は、この境界線ＢＬを境に遊技球貯球部１１８に連通（連接）され、また、開口５８側から遊技球貯球部１１８側へ傾斜している。
【００５０】
また、貯球タンク４２をパチンコ機本体１６に取り付けると、パチンコ機本体１６に装備された賞球払出装置の払出部である払出口１２０がタンク蓋６４の開口７６内の後部に配置される。そのため、ガイドリブ１１４は、賞球をタンク内に払い出す払出口１２０と、ファール球をタンク内に取り入れる開口５８との間に配置される。
【００５１】
また、ガイドリブ１１４の遊技球貯球部１１８側に位置する貯球部側壁面１１４Ｃ（但し、右端部１１４Ｂの端面は除く）は、払い出された賞球がガイドリブ１１４に衝突した際に、その賞球を開口６０側へ案内する案内面とされている。ガイドリブ１１４のファール球収容部１１６側に位置するファール球収容部側壁面１１４Ｄは、開口５８から取り入れられたファール球がガイドリブ１１４に衝突した際に、そのファール球を開口６０側へ案内する案内面とされている。
【００５２】
次に、本実施形態の作用について説明する。
【００５３】
パチンコ機１０による遊技で、入賞等により賞球払出装置から賞球が払い出されると、図６（Ａ）に示すように、その払い出された賞球４６Ａは、払出口１２０から貯球タンク４２の上面部分に設けられた開口７６を通ってタンク本体６２の底面６２Ｂに落下される（図４の矢印Ｆ）。
【００５４】
ここで、タンク内に遊技球が貯球されていなければ、底面６２Ｂに落下した賞球は、底面６２Ｂに設けられた傾斜面部１１０Ｂ又は傾斜面部１１０Ｃ上をその傾斜方向（矢印ＳＢ方向又は矢印ＳＣ方向）に転動して下流側の傾斜面部１１０Ａに移る。さらに、傾斜面部１１０Ａ上をその傾斜方向（矢印ＳＡ方向）に転動して、開口６０（排出口３１）から球皿２８に排出される（図４の矢印Ｇ）。
【００５５】
また、大当たり等により大量の賞球が払い出された場合は、先ず球皿２８内の貯球タンク４２よりも低位となる領域に賞球が蓄えられていき、その低位領域がほぼ一杯になると貯球タンク４２内に蓄えられていく。貯球タンク４２では、最下流側となる開口６０付近から賞球が貯まり始め、次第に、傾斜面部１１０Ａの全域及び上流側の傾斜面部１１０Ｂ、１１０Ｃへと貯球されていく。貯球範囲がファール球収容部１１６の近くに及ぶと、境界線ＢＬの遊技球貯球部１１８側に位置する賞球４６Ｂによって、ファール球収容部１１６の出口が塞がれる。それ以降払い出された賞球は、ガイドリブ１１４の貯球部側壁面１１４Ｃに沿ってさらに上流側へと蓄えられていく。そしてタンク内の遊技球貯球部１１８が賞球でほぼ一杯になると、賞球払出装置に設けられたオーバーフロースイッチ（図示省略）が賞球に押され、貯球できない状態になったことが検出されて、払い出しが一旦停止する。ここで、前述した球抜き操作を遊技者が行うと、球皿２８内の球が球箱３４に移されるのに伴い、貯球タンク４２内から賞球が排出されて、賞球の払い出しが再開される。
【００５６】
また、遊技球貯球部１１８が賞球で満たされているときに、ファール球が発生すると、開口５８からタンク内に取り入れられたファール球（図４の矢印Ｈ）は、ガイドリブ１１４によって区画形成されたファール球収容部１１６に収容される。このファール球収容部１１６に収容されたファール球は、下流側となる境界線ＢＬ側から上流側となる開口５８側へと順次貯球され、遊技球貯球部１１８に貯球された賞球が排出されるのに伴い、遊技球貯球部１１８へ転がって開口６０から排出される。なお、この第１実施形態のファール球収容部１１６には、ファール球４６Ｃが２１個程度収容できようになっている。
【００５７】
また、貯球タンク４２内がほぼ空の状態で、賞球の払い出しとファール球の回収とが同時に発生した場合は、払い出された賞球は、ガイドリブ１１４の貯球部側壁面１１４Ｃに当って開口６０側へ案内され、取り入れられたファール球は、ガイドリブ１１４のファール球収容部側壁面１１４Ｄに当って開口６０側へ案内される。賞球の払い出しについては、所定数の賞球が連続的にタンク内に落とされるため、払出口１２０真下の落下地点から底面６２Ｂの傾斜方向に逆らい、放射状のように広がることもある。そのような場合でも、ガイドリブ１１４側へ転がった賞球は、ガイドリブ１１４の貯球部側壁面１１４Ｃに当って傾斜面部１１０Ｃの傾斜方向である右方向に転動方向が変えられるため、同じ開口６０（排出部）側へ案内されるファール球とスムーズに合流して流下する。
【００５８】
また、本実施形態のパチンコ機１０では、貯球タンク４２に貯球された遊技球の量を、下側パネル部材２４に設けた窓部３０を通して確認できるようになっているが、貯球タンク４２内に設けたファール球収容部１１６は、窓部３０よりも左側に位置して、窓部３０を通して視認できない範囲に設けられている。そのため、遊技者は、遊技球貯球部１１８に存在する遊技球のうち、窓部３０を通して視認することができる範囲内でのほぼ正確な貯球量を確認することができる。
【００５９】
以上説明したように、本実施の形態に係るパチンコ機１０では、貯球タンク４２に取り入れられたファール球が、タンク内に遊技球貯球部１１８と区画されて設けられたファール球収容部１１６に収容されるため、大当たり等による大量の払い出しがあっても、ファール球を貯球タンク４２内へ回収することができる。
【００６０】
また、本実施形態では、遊技球貯球部１１８へ払い出される遊技球（賞球）の払出部（払出口１２０）と、ファール球を取入れる取入部（開口５８）との間にガイドリブ１１４を配置したことにより、払出部へ払い出された遊技球は、ガイドリブ１１４に阻まれてファール球収容部１１６内への進入が阻止される。これにより、ファール球収容部１１６の全域をファール球の収容スペースとして用いることができる。また、ファール球収容部１１６を形成する部材に、隔壁としてのガイドリブ１１４を用いたことで、構成が簡単になる。
【００６１】
また、本実施形態のガイドリブ１１４には、払い出された遊技球を排出部（開口６０）側へ案内する第１案内面としての貯球部側壁面１１４Ｃ、及び、取り入れられたファール球を排出部側へ案内する第２案内面としてのファール球収容部側壁面１１４Ｄを設けたことにより、同じ排出部側へ案内される遊技球とファール球とがスムーズに合流して排出部から排出される。
【００６２】
さらに、本実施形態では、ファール球収容部１１６を、貯球タンク４２内を視認可能とする窓部３０を通して視認できない範囲に設けたことにより、窓部３０からは、遊技球貯球部１１８に存在する遊技球の貯球量が確認できるようになる。
【００６３】
［第２の実施形態］
次に、本発明の第２の実施形態について説明する。ただし、この第２の実施形態に係る貯球タンク（タンク本体）は、上記第１の実施形態と同一構成部又は同様機能部については同じ符合を付してその説明を省略する。
【００６４】
図７（Ａ）、（Ｂ）に示すように、第２の実施形態に係るタンク本体１２２の傾斜面部１１０Ｃには、平面視が略Ｌ字型とされたガイドリブ１２４が設けられている。このガイドリブ１２４は、右側部分の形状とそのタンク本体１２２底面上での立設位置とが、第１実施形態のガイドリブ１１４と同じとされている（右端部１２４Ｂ側）。また、第１実施形態のガイドリブ１１４の左端部１１４Ａ側に相当する部分は、ガイドリブ１１４の中央付近から後方へ屈曲され開口７６左縁の外側を左縁に沿って後側に延出されて、その延出先端部となる左後端部１２４Ａがタンク本体１２２の後壁部７２内面に接続された形状とされている。
【００６５】
また、ガイドリブ１２４の左後端部１２４Ａ側に仕切られてタンク底面左側端部に形成された矩形状領域は、最上流に配置されて前方向（図中の矢印ＳＤ方向）へ傾斜した傾斜面部１１０Ｄとなっている。
【００６６】
これにより、傾斜面部１１０Ｄ及び傾斜面部１１０Ｃの左前側領域とによりファール球収容部１２６が構成され、ファール球収容部１２６は、タンク底面のその他の領域に形成される遊技球貯球部１２８に対して、ガイドリブ１２４及び境界線ＢＬによって区画される。
【００６７】
このように、第２実施形態では、第１実施形態よりもファール球収容部が大きくされているため、より多くのファール球を収容することができる。また、賞球の払い出しとファール球の回収とが同時に発生する場合でも、第１実施形態と同様に、賞球はガイドリブ１２４の貯球部側壁面１２４Ｃに当って開口６０側へ案内され、ファール球はガイドリブ１２４のファール球収容部側壁面１２４Ｄに当って開口６０側へ案内されるため、各球はスムーズに合流して流下する。
【００６８】
以上、本発明を上述した特定の実施形態により詳細に説明したが、本発明はそれに限定されるものではなく、本発明の範囲内にて他の種々の実施形態が可能である。
【００６９】
例えば、上述した実施の形態のガイドリブ１１４、１２４については、形状や大きさ、位置等を適宜変更することができる。例えば、形状は、直線状に限らず曲線状等とすることができ、また位置についても、タンク底面に限らず、蓋側に設けることができる。
【００７０】
また、タンク内にファール球（戻り球）の収容部を形成するための戻り球収容部形成部材については、隔壁（ガイドリブ１１４、１２４）以外に、例えば、遊技球貯球部に対してファール球収容部を高位段差とするような構成とすることができる。
【００７１】
【発明の効果】
本発明のパチンコ機は上記構成としたので、大当たり等による大量の払い出しがあってもファール球を貯球タンク内へ確実に回収することができる。
【図面の簡単な説明】
【図１】本発明の第１の実施形態に係るパチンコ機を示した斜視図である。
【図２】本発明の第１の実施形態に係るパチンコ機本体の概略構成を示した正面図である。
【図３】本発明の第１の実施形態に係るパチンコ機本体のファール球回収部付近を拡大した斜視図である。
【図４】本発明の第１の実施形態に係る貯球タンクを示した斜視図である。
【図５】本発明の第１の実施形態に係る貯球タンクのタンク蓋が開けられた状態を示した斜視図である。
【図６】本発明の第１の実施形態に係るタンク本体を示した、（Ａ）が平面図であり、（Ｂ）が正面図である。
【図７】本発明の第２の実施形態に係るタンク本体を示した、（Ａ）が平面図であり、（Ｂ）が正面図である。
【符号の説明】
１０　　　　パチンコ機
１６　　　　パチンコ機本体
３０　　　　窓部
４２　　　　貯球タンク
４６Ａ　　　賞球（遊技球）
４６Ｂ　　　遊技球
４６Ｃ　　　ファール球（戻り球）
５８　　　　開口（取入部）
６０　　　　開口（排出部）
１１４　　　ガイドリブ（戻り球収容部形成部材／隔壁）
１１４Ｃ　　貯球部側壁面（第１案内面）
１１４Ｄ　　ファール球収容部側壁面（第２案内面）
１１６　　　ファール球収容部（収容部）
１１８　　　遊技球貯球部（貯球部）
１２０　　　払出口（払出部）
１２４　　　ガイドリブ（戻り球収容部形成部材／隔壁）
１２４Ｃ　　貯球部側壁面（第１案内面）
１２４Ｄ　　ファール球収容部側壁面（第２案内面）
【図１】
2004065834.tif 000003
【図２】
2004065834.tif 000004
【図３】
2004065834.tif 000005
【図４】
2004065834.tif 000006
【図５】
2004065834.tif 000007
【図６】
2004065834.tif 000008
【図７】
2004065834.tif 000009